(57)【要約】【課題】  目的とする体毛を速かに、しかも誰にでも的確に抜くことができるようにした、使い易い安全な脱毛器を提供する。【解決手段】  ピンセット部を先端に有する回転軸をモーターにより駆動し、ピンセット部にて摘んだ体毛を巻き取って抜く方式を取る脱毛器について、回転軸２０に軸支され、一端側が開閉側部材１７を構成し、他端側が操作アーム１８を構成する可動部材１６を本体先端に配置し、可動部材１６の操作アーム１８を押してピンセット部１５を開き体毛を挟むと同時に、モーター３１及び毛根破壊手段を作動可能とする操作ノブ２６を本体１１に設け、脱毛後操作アーム１８を操作ノブ２６の位置に合わせて停止させるために、モーター３１を低速回転させるとともに、回転軸２０に半径方向の突部３７を設け、かつまたこの突部３７と係合可能な係合手段３８を回転軸２０の近傍に配置する。【選択図】          図２
2006326080.tif 000002
【特許請求の範囲】
【請求項１】
ピンセット部を先端に有する回転軸をモーターにより駆動し、ピンセット部にて摘んだ体毛を巻き取って抜く方式を取る脱毛器であって、回転軸に軸支され、一端側が開閉側部材を構成し、他端側が操作アームを構成する可動部材を本体先端部に配置し、可動部材の操作アームを押してピンセット部を開き体毛を挟むと同時に、モーター及び毛根破壊手段を作動可能とする操作ノブを本体に設け、脱毛後操作アームを操作ノブの位置に合わせて停止させるために、モーターを低速回転させるとともに、回転軸に半径方向の突部を設け、かつまたこの突部と係合可能な係合手段を回転軸の近傍に配置した構成を有する巻き取り式脱毛器。
【請求項２】
毛根破壊手段は高周波発生器であり、ピンセット部を回転させる間にピンセット部を介して、摘んでいる体毛の毛根に作用するものである請求項１記載の巻き取り式脱毛器。
【発明の詳細な説明】
【技術分野】
【０００１】
本発明は、ピンセット部を先端に有する回転軸をモーターにより駆動し、ピンセット部にて摘んだ体毛を巻き取って抜く方式を取る脱毛器に関するものである。
【背景技術】
【０００２】
脱毛器には幾つかの方式のものがあり、特開平７−２９８９２１号のものは、体毛を挟み持つ挟持金具を後方へ移動して抜き取る方式であり、特開２００１−３２７３２２号のものは、コイルスプリングを回転させるとともに伸縮させて隣接コイル間の密着により体毛を取り込み、離間により引き抜く方式である。前者は、昔から行われて来た毛抜きによる方式を動力化したものということができるのに対して、後者は、スプリングを回転させる回転力を利用してバイブレーター機能を発揮させ、脱毛前の刺激により痛みを和らげようとするものである。また特開２００２−８５１４７号のものは将に毛抜きそのものの構造であるが、毛抜きをコントロールボックスの高周波電源に接続し、毛根にダメージを加えて毛の再生を少なくすることを期待している。
【０００３】
しかし、挟持金具を後方へ移動する方式では、モーターの回転をねじに伝え直線運動に変換するため、モーターの回転が早くても後方移動の速度は遅いため、痛みを増す結果となる。またコイルスプリングに挟み込む方式は密生している体毛を抜き取るような場合には良いかも知れないが、１本の体毛を抜き取ろうとする場合にはうまく取り込めるかどうか不確実となる。さらに毛抜き方式の場合、抜く手際が問題となり、下手な者が行えば効率が悪く、しかも痛みも伴うと考えられる。
【０００４】
【特許文献１】特開平７−２９８９２１号
【特許文献２】特開２００１−３２７３２２号
【特許文献３】特開２００２−８５１４７号
【発明の開示】
【発明が解決しようとする課題】
【０００５】
本発明は前記の事情に着目してなされたもので、その課題は、目的の体毛を速やかに、しかも誰にでも的確に抜き取ることができるようにすることである。また本発明の他の課題は、使い易く安全な脱毛器を提供することである。
【課題を解決するための手段】
【０００６】
前記の課題を解決するため、本発明は、ピンセット部を先端に有する回転軸をモーターにより駆動し、ピンセット部にて摘んだ体毛を巻き取って抜く方式を取る脱毛器につい
て、回転軸に軸支され、一端側が開閉側部材を構成し、他端側が操作アームを構成する可動部材を本体先端部に配置し、可動部材の操作アームを押してピンセット部を開き体毛を挟むと同時に、モーター及び毛根破壊手段を作動可能とする操作ノブを本体に設け、脱毛後操作アームを操作ノブの位置に合わせて停止させるために、モーターを低速回転させるとともに、回転軸に半径方向の突部を設け、かつまたこの突部と係合可能な係合手段を回転軸の近傍に配置する、という手段を講じたものである。
【０００７】
即ち本発明は、体毛をピンセット部で摘みかつピンセット部を回転させることにより、体毛をピンセット部に巻き取って抜く、という形態を取る。ピンセット部は回転軸の先端に設けられ、回転軸はモーターにより駆動されるので、高速で巻き取りが行われ、体毛を瞬間的に抜き取るため、痛みを生じている時間も短くて済む方式である。この方式に加えて、本発明では、後述するように毛根破壊手段を具備し、脱毛に伴う苦痛を根本的に解消しようするものである。
【０００８】
本発明において、回転軸は先端部に軸支された可動部材を有し、回転軸の先端部と可動部材の一端側との間で、体毛を挟むピンセット部を構成する。可動部材の他端側は、ピンセット部を開閉操作するための操作レバーになっており、このような可動部材は、本発明の脱毛器の本体の先端部に配置されている。可動部材の操作レバーを押してピンセット部を開き、体毛を挟むために、操作ノブが本体に設けられている。つまり操作ノブは、操作レバーと機械的に連動してピンセット部を開く機能を有するが、それと同時に前記のモーター及び毛根破壊手段を作動可能とする電気的なスイッチの機能をも果たす。
【０００９】
毛根破壊手段は、回転軸先端のピンセット部を通じて、例えば微弱な電流等を毛根に供給し、破壊することにより無痛脱毛を期待するものである。このための電流等としては高周波電流及び低周波電流を利用可能であり、他にはレーザーダイオードによって得られるレーザー光線、或いは超音波も利用することができる。これらは相互に組み合わせて適用しても良い。
【００１０】
ピンセット部を開閉操作するための可動部材が回転軸に軸支してある構成上、可動部材の操作レバーを操作ノブの位置に合わせて停止させる必要がある。このため本発明では、回転軸に半径方向の突部を設け、かつまたこの突部と係合可能な係合手段を回転軸の近傍に配置するという構成を取り、突部を係合手段に係合させて回転軸を定位置に停止させるものである。このモーターによる回転の下に、突部と係合手段の係合による係止を行わせるために、モーターの回転速度を予め減速させることが望ましい。減速は、例えばモーター回路の抵抗を増すことで実現可能であるが、このように押釦（本発明の構成上は操作ノブ）の押し込みののち、回転軸を回転及び停止させ、毛根破壊手段を作動及び停止させるなどの作動を的確に行わせるために、マイクロコンピュータを使用した制御装置を併用することができる。図５はその回路の１例、また図７はそのフローチャートの１例である
が、この例では毛根破壊を初めに行い、そののち体毛の抜き取り作業を瞬時に行う設定となっている。
【発明の効果】
【００１１】
本発明は上記のように構成されかつ作用するものであるから、目的とする体毛を、的確にピンセット部によって挟みかつそれを回転によって速やかに巻き取って抜くことが可能であり、しかもその抜き取りの際に毛根破壊手段による毛根の破壊が行われるので、殆ど無痛の脱毛が実現され、また誰にでも安全に使用可能な脱毛器を提供することができる。
【発明を実施するための最良の形態】
【００１２】
以下図示の実施形態により本発明を詳細に説明する。図１は本発明の巻き取り式脱毛器１０の１例に関する外観図、図２はその内部構造図を示す。例示の巻き取り式脱毛器１０は、片手で持ちながらピンセット部１５を体毛Ｈに当てて挟み、抜き取るための大きさ及び形状を有する。１１は本体であり、縦に２分割された左右のケース状部材１２、１３から成る。
【００１３】
ケース状部材１２、１３は先端部に、横長の開口部１４を有しており、そこに、左右に開閉可能なピンセット部１５が配置されている。ピンセット部１５は、回転軸２０の先端部である固定側部材２１と、可動部材１６の一端側である開閉側部材１７とから成り、可動部材１６は中間部にて回転軸２０の先端側に支軸１９によって軸支され、回転可能になっており、また可動部材１６の他端側は操作アーム１８として本体内に配置されている。また、可動部材１６は、コイルばねとして示した弾性材２２によりピンセット部１５を閉じる方向へ付勢されている。図３参照。なお、開口部１４は開閉する開閉側部材１７の側のみ横長に設けられていれば十分である。２３は軸受であり、回転軸２０及びピンセット部１５を軸受けし、ケース内固定部２４に固定している。
【００１４】
左ケース状部材１２の、操作アーム１８を操作する位置には窓口２５が開口しており、そこに押釦である操作ノブ２６が、外部から操作可能に設けられる。例示の操作ノブ２６は本体内に配置され抜け止めとなる基部２７を有し、この基部２７にて操作ノブ２６を内側から外方へ向けて弾性的に加圧する加圧手段２８のばねがばね押え２８ａとの間に取り付けられている。２９はばね押え２８ａの取り付けねじを示す。操作ノブ２６の基部２７にはスイッチ３０が取り付けられ、モーター３１と制御装置３２への通電を制御する。３３は電源回路への接続のためのジャック、３４はプラグ、３５はコード付きＡＣアダプター、３６はマイコン作動表示灯を示す。
【００１５】
回転中の回転軸２０を停止させるための突部３７は、回転軸２０のモーター軸への取り付け部近くに設けられている。この突部３７は、回転軸２０の半径方向外方に突出しており、回転軸２０の回転方向に面した係合のための壁を持ち、反対方向には係合手段３８と係合しない斜面を有している。図４、図６等参照。係合手段３８は、ソレノイド３９によって作動制御されるもので、通電時に、突部３７との係合位置に位置付けられる。高周波出力は、制御装置から高周波供給手段４０により回転軸２０を経由してピンセット部１５に供給される。
【００１６】
図５はマイクロコンピュータを使用した制御装置３２の例示であり、４１はマイコン、４２は高周波発生部、４３は皮膚押さえであり、ピンセット部１５に併設されて、皮膚接触信号を得るために設けられている。また、４４は脱毛用モーター駆動、４５はピンセット位置合わせ用モーター駆動、４６はピンセット定位置合わせ用ソレノイド駆動のための各部、他は、図１〜図４のものと同じ符号で示される各部を夫々示す。そして、ａは高周波発生信号、ｂはプロテクト入力、ｃは高周波出力、ｄは皮膚接触信号入力、ｅは脱毛用モーター駆動信号、ｆはピンセット定位置合わせ用モーター駆動信号、ｇはピンセット定位置合わせ用ソレノイド駆動信号、ｈはＬＥＤより成る作動表示灯赤、ｊは同じく作動表示灯緑、ｋはスタート信号入力でありスイッチ３０から入力される。なお、各部に供給する電圧値は限定的なものではない。
【００１７】
このような構成を有する巻き取り式脱毛器１０を電源に接続すると、これを知らせるマイコン作動表示灯３６が緑色に点灯する（図７のステップ１〜３）。操作ノブ（押釦）２６を押すと、操作アーム１８が押されてピンセット１７が開き、かつスイッチ３０がオンとなって制御装置３２を含む回路に電源が入る（図７のステップ４〜６）。
【００１８】
約１秒以上経過後操作ノブ２６を押すことを止めると、加圧手段２８により操作ノブ２６は原位置に戻り、開閉側部材１７が閉じて体毛Ｈを挟んだ状態となる。これと同時にマイコン作動表示灯３６は赤色に点灯し、例えば約０．８秒間作動して高周波を出力し、その後、モーター３１が例えば約０．１秒間作動して体毛Ｈを挟んだ状態にあるピンセット部１５を回転させ、体毛Ｈを巻き取って抜く脱毛工程が行われる（図７のステップ７〜９）。同時に高周波発生を止め、モーター３１を停止させて表示灯３６を消灯する。
【００１９】
脱毛工程を終了するとソレノイド３９を作動させる信号がマイコン４１より発せられ
る。係合手段３８を係合位置に位置付け、モーター３１を低速回転させ、回転軸２０の突部３７を係合させることにより、操作アーム１８は操作ノブ２６の位置と合致して停止
し、回転軸２０は低速回転中のため係合による跳ね返りを生じない。その後モーター３１への通電を止め、ソレノイド３９への通電を停止する。さらに設定時間を経過すると表示灯３６が緑色に点灯し、再スタートが可能な状態に戻る（図７のステップ１１〜１３）。なお各部の作動時間は任意に設定することができる。
【００２０】
上記の操作及び作業を繰り返して、脱毛が進行する。上記の説明から理解されるよう
に、体毛の毛根は毛根破壊手段（４２）により相当のダメージを受けているので、その後のピンセット部１５の回転による脱毛の痛みは極く軽微なものである。本発明の巻き取り式脱毛器１０は、ペングリップ式に手で支え、ピンセット部１５にて目的の体毛Ｈを挟
み、スイッチ３０を入れて、簡単に脱毛することができるので、扱い易くかつ安心感の或る施術が可能である。
【００２１】
さらに高周波電流に対する保護回路について説明すると、この回路は次のように作動する。
１）操作ノブ２６を押す前にピンセット部１５が皮膚に接触すると全ての動作は停止する（表示灯３６は消灯）。
２）操作ノブ２６を押した後でピンセット部１５が皮膚に接触した場合も、１）と同じである。
３）操作ノブ２６を押して表示灯３６が赤になってからピンセット部１５が皮膚に接触した場合、高周波発生が停止し表示灯３６が消える。ただしモーター回路は動作を続け、ピンセット部１５は最初の位置に戻る。
４）保護回路を復帰させるには、ピンセット部を皮膚から離す。
このような作動により高周波電流に対する安全性が確保される。
【図面の簡単な説明】
【００２２】
【図１】本発明に係る巻き取り式脱毛器の１例を示す斜視図。
【図２】同上のものの分解斜視図。
【図３】同じく図１のものの一部破断側面図。
【図４】図３のＩＶ−ＩＶ線断面図。
【図５】本発明装置における制御装置の１例を示す回路図。
【図６】回転軸と係合手段との関係を示すもので、Ａは係合直前、Ｂは係合時、Ｃは回転軸停止後係合を外した状態の各説明図。
【図７】本発明のものの作動形態の１例を示すフローチャート。
【符号の説明】
【００２３】
１０  巻き取り式脱毛器
１１  本体
１４  開口部
１５  ピンセット部
１６  可動部材
１７  開閉側部材
１８  操作アーム
１９  支軸
２０  回転軸
２１  固定側部材である回転軸先端部
２２  弾性材
２３  軸受
２６  操作ノブ
２７  基部
２８  加圧手段
３０  スイッチ
３１  モーター
３２  制御装置
３６  マイコン作動表示灯
３７  突部
３８  係合手段
３９  ソレノイド
４０  高周波供給手段
４１  マイコン
４２  高周波発生部
４３  皮膚押さえ
【図１】
2006326080.tif 000003
【図２】
2006326080.tif 000004
【図３】
2006326080.tif 000005
【図４】
2006326080.tif 000006
【図５】
2006326080.tif 000007
【図６】
2006326080.tif 000008
【図７】
2006326080.tif 000009